(57)【特許請求の範囲】
【請求項１】
水力発電設備における導水路の竪坑の入口を塞ぐ蓋の複数箇所を固定するためのアイボルトもしくはアイナットのリング部に、アイボルトもしくはアイナットが回転しない状態で鎖を挿通し、鎖の端部同士を錠で固定したことを特徴とする締結部材の回転防止構造。
【請求項２】
請求項１に記載の締結部材の回転防止構造において、
蓋は矩形板状の蓋であり、蓋の四隅がアイボルトもしくはアイナットで固定され、鎖は四隅のアイボルトもしくはアイナットに巻回されている
ことを特徴とする締結部材の回転防止構造。
【発明の詳細な説明】
【技術分野】
【０００１】
本発明は、竪坑の入口を塞ぐ蓋を固定するボルトもしくはナットの回転を防止する回転防止構造に関し、水力発電設備における導水路の竪坑の入口を塞ぐ蓋の取り外し操作が容易に行えないようにしたものである。
【背景技術】
【０００２】
堰やダム等で取水を行なったり、所定の落差となる地点まで水路（導水路）で水を導き、水の落ちる力により発電を行う水力発電設備が知られている。また、上部の調整池等に水をくみ上げて貯水し、必要な時に水を落として発電を行う水力発電設備が知られている。
【０００３】
このような水力発電設備では、導水路や揚水路の保守、管理を行うために、竪抗が設けられている。竪抗の入口部は蓋により塞がれ、普段は簡単に取り外せないようにボルトやナット等により締結固定されている。一般的に水力発電設備は山間部に設けられており、竪抗の入口部も山間部に存在していることが多い。
【０００４】
このため、竪抗の入口部を常時監視することは不可能であり、蓋の取り外しが行われてしまったり、自然環境により蓋が外れてしまうことが考えられる。容易に入口部の蓋が取り外されたり外れたりしてしまうと、導水路等に異物が混入して発電に支障をきたす虞がある。
【０００５】
そこで、マンホール等をはじめとする蓋の固定を行うボルトの操作を規制するため、ボルトもしくはナットの回転操作を規制することが従来から考えられている（例えば、特許文献１及び２参照）。従来の技術では、外部から簡単に施錠の解除操作ができないようにするため、ボルト自体の回転をロックする機構が提案されている。
【０００６】
ボルト自体をロックする機構を用いることで、ボルトの操作を容易に行うことが不可能になり、第三者によるボルトの操作を防止することができる。しかし、機構が複雑になると共にコストが嵩み、山間部等に存在する竪抗の入口を塞ぐ蓋の固定に用いるボルト等に適用するにはコストと機能の関係が合わないのが実情である。
【０００７】
【特許文献１】特開平９−２６８５８４号公報
【特許文献２】特開２００４−３４６６６２号公報
【発明の開示】
【発明が解決しようとする課題】
【０００８】
本発明は上記状況に鑑みてなされたもので、簡単で低コストの構造で竪坑の入口を塞ぐ蓋を固定するボルトもしくはナットの回転を防止することができる締結部材の回転防止構造を提供することを目的とする。
【課題を解決するための手段】
【０００９】
上記目的を達成するための請求項１に係る本発明の締結部材の回転防止構造は、水力発電設備における導水路の竪坑の入口を塞ぐ蓋の複数箇所を固定するためのアイボルトもしくはアイナットのリング部に、アイボルトもしくはアイナットが回転しない状態で鎖を挿通し、鎖の端部同士を錠で固定したことを特徴とする。
【００１０】
請求項１に係る本発明では、水力発電設備における導水路の竪坑の入口を塞ぐ蓋を固定するボルトもしくはナットの回転を阻止することができる。
【００１１】
そして、請求項２に係る本発明の締結部材の回転防止構造は、請求項１に記載の締結部材の回転防止構造において、蓋は矩形板状の蓋であり、蓋の四隅がアイボルトもしくはアイナットで固定され、鎖は四隅のアイボルトもしくはアイナットに巻回されていることを特徴とする。
【００１２】
請求項２に係る本発明では、鎖で連結された四隅のアイボルトもしくはアイナットの回転を阻止することができる。
【００１３】
上記課題を解決するための本発明の参考例としては、蓋部材を固定するボルトもしくはナットである締結部材にリング部を設け、締結部材が回転しない状態でリング部に索状体を挿通し、索状体のリング部からの抜け外れを防止する錠を索状体に取り付けたことを特徴とする締結部材の回転防止構造が挙げられる。
【００１４】
参考例では、ボルトもしくはナットは、リング部に挿通された索状体により回転が阻止され、錠を外して索状体をリング部から抜いた時にのみボルトもしくはナットの回転が許容される。
【００１５】
また、他の参考例としては、上述した参考例において、蓋部材は複数の締結部材により固定され、２個以上の締結部材にリング部が設けられ、締結部材が回転しない状態で２個以上のリング部に鎖部材を挿通し、鎖部材の端部同士を錠で固定したことを特徴とする締結部材の回転防止構造が挙げられる。
【００１６】
参考例では、２個以上のボルトもしくはナットが、リング部に挿通された索状体により回転が阻止される。
【００１７】
上記課題を解決するための他の参考例としては、蓋部材を固定するボルトもしくはナットである締結部材にリング部を設け、リング部に棒体を挿通し、棒体のリング部からの抜け外れを防止する錠を棒体に取り付けたことを特徴とする締結部材の回転防止構造が挙げられる。
【００１８】
参考例では、ボルトもしくはナットは、リング部に抜け外れないように挿通された棒体により回転が阻止され、錠を外して棒体をリング部から抜いた時にのみボルトもしくはナットの回転が許容される。
【００１９】
そして、他の参考例としては、上述した参考例において、蓋部材は複数の締結部材により固定され、２個以上の締結部材にリング部材が設けられ、締結部材が回転しない状態で２個以上のリング部に１本の棒体を挿通し、棒体の一端にリング部材の穴よりも大きいストッパー部材を設けると共に、棒体の他端にリング部材の穴よりも大きい錠を取り付けたことを特徴とする締結部材の回転防止構造が挙げられる。
【００２０】
参考例では、２個以上のボルトもしくはナットが、リング部に挿通された棒体により回転が阻止される。
【００２１】
上記課題を解決するための他の参考例としては、蓋部材を固定するボルトもしくはナットである締結部材にリング部を設け、リング部に長尺部材を挿通し、長尺部材のリング部からの抜け外れを防止する抜け防止部材を備えたことを特徴とする締結部材の回転防止構造が挙げられる。
【００２２】
参考例では、ボルトもしくはナットは、リング部に挿通された長尺部材により回転が阻止され、抜け防止部材を外して長尺部材をリング部から抜いた時にのみボルトもしくはナットの回転が許容される。
【００２３】
上記課題を解決するための他の参考例としては、構造物を固定するボルトもしくはナットである締結部材にリング部を設け、リング部に締結部材の回転を阻止する回転阻止部材を備えたことを特徴とする締結部材の回転防止構造が挙げられる。
【００２４】
参考例では、ボルトもしくはナットは、リング部に備えられた回転阻止部材により回転が阻止され、回転阻止部材を外した時にのみボルトもしくはナットの回転が許容される。
【発明の効果】
【００２５】
本発明によれば、簡単で低コストの構造で竪坑の入口を塞ぐ蓋を固定するボルトもしくはナットの回転を防止することができる締結部材の回転防止構造とすることができる。
【発明を実施するための最良の形態】
【００２６】
図１には本発明の一実施形態例に係る締結部材の回転防止構造が適用される水力発電設備の概略状況、図２、図３には導水路の竪坑の入口を塞ぐ蓋の外観状況、図４にはアイボルトの概観状況、図５には参考例としての回転防止構造の概略説明を示してある。本発明の締結部材の回転防止構造は、水力発電設備における導水路の竪坑の入口を塞ぐ蓋を固定するための締結部材としてのアイナットの回転を防止するための構造である。
【００２７】
図１に基づいて水力発電設備の概略を説明する。
【００２８】
図に示すように、山間部などの貯水池やダムで堰きとめられた湖（貯水池１と称する）には雪解けや雨などの水が貯えられ、所定の落差となる地点まで導水路２で水が導かれるようになっている。所定の落差の地点には発電所３が設けられ、発電所３には導水路２及び水圧鉄管４で導かれた水により回転する水車（図示省略）が設けられている。水車の回転により発電機（図示省略）が駆動されて発電が行われる。水車を回転させた水は放水路６から放水される。
【００２９】
水力発電設備では、断水時や保守、管理時等に導水路２に作業員が入るための竪抗１０が設けられ、通常、竪抗１０の入口部は蓋１１によって塞がれている。一般的に水力発電設備は山間部に設けられており、竪抗１０の入口部も山間部に存在していることが多い。このため、蓋１１はボルトやナット等の締結部材により固定され、容易に取り外すことができないようにされている。
【００３０】
図２、図３に基づいて竪抗１０の入口部の蓋１１の状況を詳細に説明する。図２は蓋１１を入口部に固定している状況で、図３は蓋１１を入口部に固定して回転防止構造により締結部材の回転が阻止された状況である。
【００３１】
図２に示すように、入口部を塞ぐ蓋１１は矩形板状とされ、四隅を含む８箇所がスタットボルト１２に挿入されている。四隅のスタットボルト１２にはアイナット１３が螺合すると共に、四隅以外のスタットボルト１２にはナット１４が螺合して蓋１１が固定されている。アイナット１３は、締結部材としてのナット部１５にリング部１６が固定されている。
【００３２】
四隅のスタットボルト１２に螺合するアイナット１３のリング部１６には索状体としての２本の鎖（鎖部材）１７、１８が挿通されて、アイナット１３の回転が阻止された状態にされている。鎖１７、１８の端部同士は錠としての南京錠１９により固定されている。即ち、リング部１６に挿通された鎖１７、１８はアイナット１３の回転を阻止する状態に巻回されている。
【００３３】
このため、リング部１６に挿通された鎖１７、１８により四隅のアイナット１３の回転が阻止され、簡単で低コストの構造で蓋１１を固定するアイナット１３の回転を防止することができる。従って、山間部等に存在する竪抗１０の入口を塞ぐ蓋１１の固定に用いるアイナット１３（締結部材）を容易に回転させない回転防止構造を低コストで実現することが可能になる。
【００３４】
上述した実施形態例では、蓋１１をスタットボルト１２に通し、アイナット１３及びナット１４により蓋１１を固定する例を挙げて説明したが、蓋１１の固定をボルトで行う場合、図４に示したように、ボルト部２１にリング部２２が固定されたアイボルト２３を適用することができる。
【００３５】
また、アイナット１３のリング部１６に鎖１７、１８を挿通してアイナット１３の回転を阻止するようにしたが、参考として、図５に示したように、アイナット１３のリング部１６に一端に抜け止め３１を備えた棒体３２（例えば、鉄筋）を複数のアイナット１３のリング部１６に挿入してアイナット１３の回転を阻止し、棒体３２の他端に南京錠１９を取り付けてリング部１６から抜け外れないようにする技術を挙げることができる。
【００３６】
上述した実施形態例は、蓋１１を固定する回転防止構造を説明したが、参考として、他の構造物に適用することができ、構造物として看板や架設のステージ・鉄塔の柱脚（例えば、通信鉄塔や送電鉄塔）等、容易に締結部材が外れないようにして好適である構造物であれば種々の構造物を固定するための締結部材の回転防止構造として適用することが可能である。
【産業上の利用可能性】
【００３７】
本発明は、竪坑の入口を塞ぐ蓋を固定するボルトもしくはナットの回転を防止する回転防止構造の技術分野で利用することができる。
【図面の簡単な説明】
【００３８】
【図１】本発明の一実施形態例に係る締結部材の回転防止構造が適用される水力発電設備の概略説明図である。
【図２】導水路の竪坑の入口を塞ぐ蓋の外観図である。
【図３】導水路の竪坑の入口を塞ぐ蓋の外観図である。
【図４】アイボルトの概観図である。
【図５】参考例としての回転防止構造の概略説明図である。
【符号の説明】
【００３９】
１  貯水池
２  導水路
３  発電所
４  水車
５  発電機
６  放水路
１０  竪抗
１１  蓋
１２  スタットボルト
１３  アイナット
１４  ナット
１５  ナット部
１６、２２  リング部
１７、１８  鎖
１９  南京錠
２１  ボルト部
２３  アイボルト
３１  抜け止め
３２  棒体
【図１】
0004566133.tif 000002
【図２】
0004566133.tif 000003
【図３】
0004566133.tif 000004
【図４】
0004566133.tif 000005
【図５】
0004566133.tif 000006